(57)【要約】【課題】外装パネルに厚みのバラツキがあっても容易に挿入し安定して保持することができる外装パネル用役物を提供することを目的とする。 【解決手段】建築物の外壁本体２２に設けられる一対の外装パネル２３の端部２３ａを覆う長尺の外装パネル用役物２１であり、一対の外装パネル２３の各端部２３ａを収納する一対の収納部２５とこの収納部２５を覆う一対のカバー材３３から成る。収納部２５は、外壁本体２２に取付けられる内側材２と、この内側材２６から平行に外装パネル２３と同じ幅で隔たる外側材２７と、左右対称形の対称軸Ｐから隔てた位置で内側材２６の一端２６ａと外側材２７の一端２７ａを連結材２８で直角に連結して形成される。連結材２８に、収納部２５に挿入される外装パネル２３の挿入圧に対応して連結材２８の幅を広げる伸部３１が連結材２８の一部を面外に連続的に突出するＵ字形の凸状３１ａで形成される。【選択図】図１
2007262756.tif 000002
【特許請求の範囲】
【請求項１】
建築物の外壁本体に設けられる一対の外装パネルの端部を覆う長尺の外装パネル用役物であって、前記外装パネル用役物の断面形状は左右対称形で、一対の外装パネルの各端部を収納する一対の収納部とこの収納部を覆う一対のカバー材から成り、
前記一対の収納部は、前記外壁本体に取付けられる内側材と、この内側材から平行に前記外装パネルの厚さと同じ幅で隔たる外側材と、前記左右対称形の対称軸から隔てた位置で前記内側材の一端と前記外側材の一端を直角に連結する連結材とで形成されるとともに、
前記一対のカバー材は前記各外側材の他端で折返し外側材に沿って延設して前記対称軸上で練結され、
前記連結材に、前記収納部に挿入される外装パネルの挿入圧に対応して前記連結材の幅を広げる伸部が前記連結材の一部を面外に連続的に突出する凸状で形成されることを特徴とする外装パネル用役物。
【請求項２】
請求項１に記載の外装パネル用役物であって、前記伸部の凸状は前記連結材に平行な面を備えることを特徴とする外装パネル用役物。
【請求項３】
請求項１又は請求項２に記載の外装パネル用役物であって、前記一対の内側材の挟角は直角又は１８０度に形成されることを特徴とする外装パネル用役物。
【請求項４】
請求項１乃至請求項３のいずれか１項に記載の外装パネル用役物であって、前記外装パネル用役物は鋼板による板金加工で一体形成されることを特徴とする外装パネル用役物。
【発明の詳細な説明】
【技術分野】
【０００１】
本発明は、外壁本体に設ける一対の外装パネルを挟持する外装パネル用役物に関し、特に、外装パネルを挿入し易く、且つ挿入した外装パネルを安定して保持できる外装パネル用役物の技術に関する。
【背景技術】
【０００２】
従来、建築物の外壁本体に取付ける一対の外装パネル用の外装パネル用役物として、例えば、特許文献１の記載が知られている。
【０００３】
特許文献１によれば、図８に示すように、外装パネル用役物１２は下型１と上型８からなり、下型１の断面形状は、亜鉛めっき帯板を直角に折り曲げた同一形状の２枚の帯状山形鋼板２を、片方の辺３が同一平面となるように互いに反対方向に伸長し、他方の辺４の外側を合わせることにより構成される。
【０００４】
各辺３の端部には折返し部５が内側に設けられ、この折り返し部５と帯状山形鋼板２の折り曲げ線６との間には内側に突出した水切り用の突条７が設けられる。
【０００５】
上型８は、帯状鋼板を偏平チュ−ブ状に折り曲げたもので、その半幅は下型１の帯状山形鋼板２の辺３より狭く形成される。上面板９は連続しているが、下面板１０は中央部が長手方向に沿って分離し下型１の２枚の他方の辺４に連結する。そして、各辺３を外壁本体１３に図示しない釘等で打ち付け、下型１と上型８との間に外装パネル１１を容易に挿入することができる。
【特許文献１】登録実用新案第３００８５２４号公報
【発明の開示】
【発明が解決しようとする課題】
【０００６】
ところが、上記の外装パネル用役物１２に外装パネル１１を挿入する際に、外装パネル１１の厚みが規定値より厚い場合に外装パネル１１の端部が破損することがあった。このため、破損した隙間から雨水が浸入して外装パネルが劣化し、防音性や保温性が低下するという問題があった。
【０００７】
そこで、本発明は、外装パネルに厚みのバラツキがあっても外装パネル用役物に容易に挿入できるとともに安定して保持できて、雨水浸入を防止し外装パネルの劣化を防止する外装パネル用役物を提供することを目的とする。
【課題を解決するための手段】
【０００８】
請求項１の発明は、建築物の外壁本体に設けられる一対の外装パネルの端部を覆う長尺の外装パネル用役物であって、前記外装パネル用役物の断面形状は左右対称形で、一対の外装パネルの各端部を収納する一対の収納部とこの収納部を覆う一対のカバー材から成り、前記一対の収納部は、前記外壁本体に取付けられる内側材と、この内側材から平行に前記外装パネルの厚さと同じ幅で隔たる外側材と、前記左右対称形の対称軸から隔てた位置で前記内側材の一端と前記外側材の一端を直角に連結する連結材とで形成されるとともに、前記一対のカバー材は前記各外側材の他端で折返し外側材に沿って延設して前記対称軸上で練結され、前記連結材に、前記収納部に挿入される外装パネルの挿入圧に対応して前記連結材の幅を広げる伸部が前記連結材の一部を面外に連続的に突出する凸状で形成されることを特徴としている。
【０００９】
請求項２の発明は、請求項１に記載の外装パネル用役物であって、前記伸部の凸状は前記連結材に平行な面を備えることを特徴としている。
【００１０】
請求項３の発明は、請求項１又は請求項２に記載の外装パネル用役物であって、前記一対の内側材の挟角は直角又は１８０度に形成されることを特徴としている。
【００１１】
請求項４の発明は、請求項１乃至請求項３のいずれか１項に記載の外装パネル用役物であって、前記外装パネル用役物は鋼板による板金加工で一体形成されることを特徴としている。
【発明の効果】
【００１２】
請求項１の発明によれば、建築物の外壁本体に設けられる一対の外装パネルの端部を覆う長尺の外装パネル用役物であって、前記外装パネル用役物の断面形状は左右対称形で、一対の外装パネルの各端部を収納する一対の収納部とこの収納部を覆う一対のカバー材から成り、前記一対の収納部は、前記外壁本体に取付けられる内側材と、この内側材から平行に前記外装パネルの厚さと同じ幅で隔たる外側材と、前記左右対称形の対称軸から隔てた位置で前記内側材の一端と前記外側材の一端を直角に連結する連結材とで形成されるとともに、前記一対のカバー材は前記各外側材の他端で折返し外側材に沿って延設して前記対称軸上で練結され、前記連結材に、前記収納部に挿入される外装パネルの挿入圧に対応して前記連結材の幅を広げる伸部が前記連結材の一部を面外に連続的に突出する凸状で形成されるので、外装パネルに厚みのバラツキがあっても挿入時に前記連結材が凸状の伸部によって弾力的に広がるため、外装パネルを損傷させずに外装パネル用役物に容易に挿入でき、且つ、その弾力により安定して保持することができる。
【００１３】
このため、隙間からの雨水浸入を防止して外装パネルの劣化を防止することができる。
【００１４】
請求項２の発明によれば、請求項１に記載の外装パネル用役物であって、前記伸部の凸状は前記連結材に平行な面を備える形状なので、凸状の加工性が向上するとともに、請求項１の発明の効果と同様の効果が得られる。
【００１５】
請求項３の発明によれば、請求項１又は請求項２に記載の外装パネル用役物であって、前記一対の内側材の挟角は直角又は１８０度に形成されるので、外装パネル用役物のカバー材とベース材を同様の構成で外壁本体の出隅部又は平面部に用いることができる。このため、請求項１の発明の効果と同様の効果が得られるとともに、略同じ工程を用いて出隅部又は平面部用に加工できるので生産性が向上する。
【００１６】
請求項４の発明によれば、請求項１乃至請求項３のいずれか１項に記載の外装パネル用役物であって、前記外装パネル用役物は鋼板による板金加工で一体形成されるので、容易に製作できてコストを下げることができる。
【発明を実施するための最良の形態】
【００１７】
以下に、本発明の第１の実施形態を図１〜図３に基づいて説明する。
＜外装パネル用役物の構成＞
【００１８】
図１、図２に示すように、本発明の外装パネル用役物２１は建築物の外壁本体２２に設けられる一対の外装パネル２３の端部２３ａを覆う長尺の外装パネル用役物２１で、断面形状は左右対称形で外装パネル２３の各端部２３ａを収納する一対の収納部２５とこの収納部２５を覆う一対のカバー材３３から成る。
【００１９】
外装パネル２３は断熱性、遮音性等を目的として、内部の断熱材を両側から薄肉の金属板２３ｂで被覆してなる厚さＨ＝２１ｍｍの金属サイディングが用いられ、表面に凹凸パターン３ｃが形成される。
【００２０】
複数の外装パネル２３は外壁本体２２の下から上に向かって横張り、又は左右方向の縦張りで組付けられる。また、図示しない胴縁を介して取付けることもある。外装パネル用役物２１は取付時に図示しないシール材を用いて防水対策が講じられる。
【００２１】
一対の収納部２５は、外壁本体２２に取付けられる内側材２６（長さＴ＝３７ｍｍ）と、この内側材２６から平行に外装パネル２３と同じ幅で隔たる外側材２７（長さＴ１＝２０ｍｍ）と、左右対称形の対称軸Ｐから長さＴ２＝２．５ｍｍ隔てた位置で内側材２６の一端２６ａと外側材２７の一端２７ａを直角に連結する連結材２８とで形成される。
【００２２】
ここで、内側材２６の他端２６ｂには内側材２６と平行に収納部２５の内部側に長さＴ４＝５ｍｍで折返す折返部２９が形成される。また、内側材２６の略中央部に内側材２６と連続的に内部側に突出する凸状３０が形成される。
【００２３】
このため、内側材２６と外側材２７間の隙間Ｈ１＝２２ｍｍから折返部２９と凸状３０の高さを除いた隙間幅が、上記外装パネル２３の厚さＨ＝２１ｍｍと同じ幅Ｈとなる。凸状３０は、万一雨水等が目地部より流入しても、雨水が外壁本体２２に侵入するのを防止するためのものである。内側材２６は図示しないビス等を介して外壁本体２２に取付けられる。
【００２４】
そして、連結材２８に、収納部２５に挿入される外装パネル２３の挿入圧に対応して連結材２８の幅を広げる伸部３１が連結材２８の一部を面外に連続的に突出するＵ字形の凸状３１ａが幅Ｈ２、高さＴ５で形成される。
【００２５】
一方、一対のカバー材３３は各外側材２７の他端２７ｂで外側に幅Ｈ２＝１．５ｍｍで折返し、外側材２７に沿って延設して対称軸Ｐ上の位置Ｐ１で練結される。一対のカバー材３３の全幅Ｔ３＝４５ｍｍ、一対の内側材２６の両他端２６ｂ間の長さＴ４＝７９ｍｍである。
【００２６】
外装パネル用役物２１は板厚０．３５ｍｍの薄厚鋼板の両表面にアルミ・亜鉛合金メッキを施し、さらに、カバー材３３に対しては表面側となる面にフッ素樹脂塗装、裏面側にポリエステル樹脂塗装が施されて板金加工により連続して一体形成される。
＜外装パネル用役物の作用＞  
【００２７】
上記、収納部２５に挿入される外装パネル２３の挿入圧に対応して連結材２８の幅を広げる伸部３１が連結材２８の一部を面外に連続的に突出するＵ字形の凸状３１ａで形成されるので、外装パネルに厚みのバラツキがあっても挿入時に連結材が凸状３１ａによって弾力的に広がるため損傷することなく外装パネル用役物に容易に挿入でき、且つ外装パネル用役物によって挿入後は弾力的に安定して保持することができる。
【００２８】
このため、隙間からの雨水浸入を防止して外装パネルの劣化を防止することができる。
＜第２の実施形態＞
【００２９】
本発明の第２の実施形態を図３を用いて説明するが、図１、図２に示す外装パネル用役物２１の構成と同構成部分については、図面に同符号を付して重複した説明を省略する。
【００３０】
図３に示すように、外装パネル用役物２１ａは建物の出隅部に用いられる外装パネル用役物２１ａで、一対の内側材２６の挟角θ＝直角に形成される。
【００３１】
外側材２７の長さＳ１＝２５ｍｍ、カバー材３３の全幅Ｓ２＝５５ｍｍ、内側材２６の長さＳ３＝４２ｍｍ、位置Ｐ１から内側材２６の他端２６ｂまでの長さＳ４＝７２ｍｍである。一対の内側材２６の一端２６ａ間の長さＳ５＝８．５ｍｍである。
＜第３の実施形態＞
【００３２】
本発明の第３の実施形態を図４を用いて説明するが、図１、図２に示す外装パネル用役物２１の構成と同構成部分については、図面に同符号を付して重複した説明を省略する。
【００３３】
図４に示すように、外装パネル用役物２１ｂは建物の入隅部に用いられる外装パネル用役物２１ｂで、一対の内側材２６の挟角θ１＝直角に形成される。位置Ｐ１から外側材２７の他端２７ｂまでの長さＷ＝２３ｍｍ、一対の一端２７ａ間の間隔Ｗ＝略４ｍｍである。
＜第４の実施形態＞
【００３４】
本発明の第４の実施形態を図５を用いて説明するが、図１、図２に示す外装パネル用役物２１の構成と同構成部分については、図面に同符号を付して重複した説明を省略する。
【００３５】
図５に示すように、伸部３１は台形状の凸状３１ｂで収納部２５の内部側に突出し、幅Ｑの領域が高さＱ２で突出して連結材２８に平行な幅Ｑ１の面２８ａが形成される。Ｑ１＞Ｑである。
＜第５の実施形態＞
【００３６】
本発明の第５の実施形態を図６を用いて説明するが、図５に示す連結材２８及び凸状３１ｂの構成と同構成部分については、図面に同符号を付して重複した説明を省略する。
【００３７】
図６に示すように、伸部３１の凸状３１ｃは、連結材２８に平行な面２８ｂが外側材２７間の隙間Ｈ１の略１／２の領域で高さＱ２だけ収納部２５の外部側に突出して形成される。
＜第６の実施形態＞
【００３８】
本発明の第６の実施形態を図７を用いて説明するが、図５に示す連結材２８及び凸状３１ｂの構成と同構成部分については、図面に同符号を付して重複した説明を省略する。
【００３９】
図７に示すように、伸部３１は台形状の凸状３１ｄで収納部２５の外部側に突出し、幅Ｑの領域が高さＱ２で突出して連結材２８に平行な幅Ｑ１の面２８ａが形成される。Ｑ１＞Ｑである。
【００４０】
以上、本発明の実施形態を図面に基づいて説明したが、上記の実施例はいずれも本発明の一例を示したものであり、本発明はこれらに限定されるべきでないということは言うまでもない。
【００４１】
外装パネル用役物は外装パネル端部が上下、左右どちらの方向であっても使用できる外装パネル用役物の各寸法を調整することで、厚さＨ＝２１ｍｍ以外の金属サイディングにも用いることができる。
【図面の簡単な説明】
【００４２】
【図１】本発明の第１の実施形態における、建築物の外壁本体２２に設けられる一対の外装パネル２３の端部２３ａを覆う長尺の外装パネル用役物２１の断面図である。
【図２】本発明の第１の実施形態における、連結材２８のＵ字形の凸状３１ａの詳細断面図である。
【図３】本発明の第２の実施形態における、建築物の出隅部に設けられる長尺の外装パネル用役物２１ａの断面図である。
【図４】本発明の第３の実施形態における、建築物の入隅部に設けられる長尺の外装パネル用役物２１ｂの断面図である。
【図５】本発明の第４の実施形態における、伸部３１の状態を示す詳細断面図である。
【図６】本発明の第５の実施形態における、伸部３１の状態を示す詳細断面図である。
【図７】本発明の第６の実施形態における、伸部３１の状態を示す詳細断面図である。
【図８】従来の、建築物の外壁本体１３に設けられる一対の外装パネル１１の端部を覆う長尺の外装パネル用役物１２の断面図である。
【符号の説明】
【００４３】
２１  外装パネル用役物
２２  外壁本体
２３  外装パネル
２３ａ  端部
２５  収納部
２６  内側材
２６ａ  一端
２７  外側材
２７ａ  一端
２８  連結材
３１  伸部
３１ａ  凸状
３３  カバー材
Ｐ  対称軸
【図１】
2007262756.tif 000003
【図２】
2007262756.tif 000004
【図３】
2007262756.tif 000005
【図４】
2007262756.tif 000006
【図５】
2007262756.tif 000007
【図６】
2007262756.tif 000008
【図７】
2007262756.tif 000009
【図８】
2007262756.tif 000010